(57)【要約】【課題】簡易な構成により紫外線量の高い場所における紫外線量を検出すること。【解決手段】本発明の紫外線検出システム１は、テレビジョン信号を受信すると共に屋外の紫外線検出信号を検出する紫外線センサ７を有するアンテナ２と、テレビジョン信号の信号経路となる信号線５を介して前記アンテナ２に接続され前記テレビジョン信号及び前記紫外線検出信号を抽出するテレビジョンチューナ３と、前記テレビジョンチューナ３に接続される表示装置４を備え、前記テレビジョンチューナ３は前記紫外線検出信号を紫外線情報を示す紫外線検出値に変換して前記表示装置４に表示する。【選択図】図１
2010041265.tif 000002
【特許請求の範囲】
【請求項１】
テレビジョン信号を受信すると共に屋外の紫外線検出信号を検出する紫外線センサを有するアンテナと、テレビジョン信号の信号経路となる信号線を介して前記アンテナに接続され前記テレビジョン信号及び前記紫外線検出信号を抽出するテレビジョンチューナと、前記テレビジョンチューナに接続される表示装置を備え、前記テレビジョンチューナは前記紫外線検出信号を紫外線情報を示す紫外線検出値に変換して前記表示装置に表示することを特徴とする紫外線検出システム。
【請求項２】
前記アンテナは、パラボラアンテナであることを特徴とする請求項１に記載の紫外線検出システム。
【請求項３】
前記紫外線センサを複数備え、当該複数の紫外線センサの紫外線検出値のうち最大値となる紫外線検出値を検出することを特徴とする請求項１又は請求項２に記載の紫外線検出システム。
【請求項４】
前記紫外線センサを複数備え、前記アンテナへの取付角度の異なる複数の紫外線センサの紫外線検出値の差分に基づく紫外線の相対感度差と、当該相対感度差に基づく紫外線の入射角度ずれとにより、前記紫外線センサの紫外線検出値を紫外線の入射角度が０度における紫外線検出値になるように補正することを特徴とする請求項１又は請求項２に記載の紫外線検出システム。
【発明の詳細な説明】
【技術分野】
【０００１】
本発明は、屋外の紫外線量を検出する紫外線検出システムに関する。
【背景技術】
【０００２】
従来、屋外の紫外線量を検出する紫外線センサを備えた空気調和機が知られている（特許文献１参照）。この空気調和機は、紫外線センサを有する室外機と、連絡配線を介して室外機と接続された室内機と、室内機と通信可能なリモコン（表示装置）とを備えており、紫外線センサで検出した紫外線量を、連絡配線を介して室内機に送り、リモコンに表示させている。
【特許文献１】特開２００２−１８８８４４号公報
【発明の開示】
【発明が解決しようとする課題】
【０００３】
ところで、紫外線量は、太陽光を直接受ける場所（日向）と太陽光が一部遮られる場所（日陰）とでは大きく異なるため、例えば、皮膚や目に影響を及ぼす紫外線対策を行う場合には、紫外線量の高い日向の紫外線量を利用することが好ましい。しかしながら、室外機はベランダの床面や、上階のベランダ下面近傍に吊下げられて設置された場合、室外機は建物の影に入り込み、紫外線センサは日陰の紫外線量を検出するため、紫外線対策としては適切でない紫外線量を表示してしまうことになる。
【０００４】
本発明は、かかる点に鑑みてなされたものであり、簡易な構成により紫外線量の高い場所における紫外線量を検出することができる紫外線検出システムを提供することを目的とする。
【課題を解決するための手段】
【０００５】
本発明の紫外線検出システムは、テレビジョン信号を受信すると共に屋外の紫外線検出信号を検出する紫外線センサを有するアンテナと、テレビジョン信号の信号経路となる信号線を介して前記アンテナに接続され前記テレビジョン信号及び前記紫外線検出信号を抽出するテレビジョンチューナと、前記テレビジョンチューナに接続される表示装置を備え、前記テレビジョンチューナは前記紫外線検出信号を紫外線情報を示す紫外線検出値に変換して前記表示装置に表示することを特徴とする。
【０００６】
この構成によれば、簡易な構成により紫外線量の高い場所における紫外線量を検出することができる。特に、アンテナは、建物の屋上やベランダの手すり部分等の当該建物により日陰とならない場所に設置されることが多いので、直射日光下における高い紫外線量を検出することができる。
【０００７】
上記紫外線検出システムにおいて、前記アンテナは、パラボラアンテナで構成することができる。この構成によれば、例えば、パラボラアンテナの湾曲面に紫外線センサを取り付けた場合、一定方向の紫外線量を検出することができる。
【０００８】
上記紫外線検出システムにおいて、前記紫外線センサを複数備え、当該複数の紫外線センサの紫外線検出値のうち最大値となる紫外線検出値を検出することが好ましい。この場合、検出時間による太陽の位置の影響（時間変化に伴う紫外線の入射角度の変化の影響）を受けた場合でも、最大値となる紫外線検出値を検出することができる。
【０００９】
上記紫外線検出システムにおいて、前記紫外線センサを複数備え、前記アンテナへの取付角度の異なる複数の紫外線センサの紫外線検出値の差分に基づく紫外線の相対感度差と、当該相対感度差に基づく紫外線の入射角度ずれとにより、前記紫外線センサの紫外線検出値を紫外線の入射角度が０度における紫外線検出値になるように補正することが好ましい。
【００１０】
この場合、複数の紫外線センサの紫外線検出値の差分から求められる紫外線の相対感度差及びこれに対応する入射角度ずれに基づいて、紫外線センサが検出した実際の紫外線検出値を、紫外線の入射角度が０度における紫外線検出値に補正するので、実際には紫外線の入射角度ずれがあった場合でも、紫外線の相対感度が最も高い入射角度０度における紫外線検出値を検出することができる。
【発明の効果】
【００１１】
本発明によれば、簡易な構成により紫外線量の高い場所における紫外線量を検出することができる紫外線検出システムを提供することができる。
【発明を実施するための最良の形態】
【００１２】
以下、図面を参照して、本発明の実施の形態について詳細に説明する。
図１は、本発明の実施の形態に係る紫外線検出システムを模式的に示した図であり、図２は、紫外線検出システムを構成するアンテナを模式的に示した図である。図１に示すように、紫外線検出システム１は、屋外に設置される共にテレビジョン信号を受信するアンテナ２と、信号経路となる同軸ケーブル５を介してアンテナ２と接続されると共に室内に設置されたテレビジョンチューナ３と、テレビジョンチューナ３と接続される表示装置４と、テレビジョンチューナ３と通信可能なリモコン６とを備えており、アンテナ２は屋外の紫外線量を検出する紫外線センサ７を有している。この紫外線検出システム１では、アンテナ２に取り付けられた紫外線センサ７が屋外の紫外線量を示す紫外線検出信号を検出し、該紫外線検出信号をテレビジョン信号と共に同軸ケーブル５を介してテレビジョンチューナ３に送信し、紫外線検出値を表示装置４に表示させている。
【００１３】
アンテナ２は、通常のテレビジョン信号受信機能を備えたものであり、受信したテレビジョン信号を同軸ケーブル５を介してテレビジョンチューナ３に送出する。このアンテナ２は、例えば、パラボラアンテナで構成され、該パラボラアンテナの湾曲面には複数の紫外線センサ７が取り付けられている。これら複数の紫外線センサ７は、屋外の紫外線量を示す紫外線検出信号を検出し、この検出信号を上記同軸ケーブル５を介してテレビジョンチューナ３に送る。パラボラアンテナは、取付面となる湾曲面に複数の紫外線センサ７を取り付けられるので、時刻や季節により太陽の位置が変わった場合でも、同一方向の太陽光（紫外光）を多く入射させることができる点で好ましい。
【００１４】
図２に示すアンテナ２においては、取付面の中心近傍に１つの紫外線センサ７ａが配設され、該紫外線センサ７ａを挟んで左右両側にそれぞれ紫外線センサ７ｂが配設されている。なお、アンテナ２には、任意の位置に紫外線センサ７を配設可能であり、例えば、図３に示すように、取付面中心近傍に配設された紫外線センサ７ａを挟んで、上下左右に４つの紫外線センサ７ｃを配設してもよい。また、図４に示すように、取付面中心近傍に配設された紫外線センサ７ａと、該紫外線センサ７ａを挟んで配設された４つの紫外線センサ７ｃとの間にさらに紫外線センサ７ｄをそれぞれ設けるようにしてもよい。ここで、複数の紫外線センサ７は、所定の角度でアンテナ２の取付面に取り付けられている。なお、紫外線センサ７のアンテナ２への取付方法は、任意の方法で取り付け可能である。このように構成されたアンテナ２は、例えば、建物の屋上やベランダの手すり部分等、太陽光を遮ることのない場所であって、当該アンテナ２の取り付けられる建物の位置や季節等に応じて、紫外線センサ７の取付面側を、紫外線量の最も多い時間帯（午前１０時〜午後２時位）における太陽光が直接入射する方向に向けて取り付けられることが好ましい。
【００１５】
テレビジョンチューナ３は、増幅器及びＩＣ等で構成され、通常のテレビジョンチューナとして機能するものであり、アンテナ２から受信したテレビジョン信号に増幅及び復調処理等を施し、所望の音声及び映像信号を表示装置４に送出する。また、テレビジョンチューナ３は、複数の紫外線センサ７が検出した複数の紫外線検出信号のうち最大値となる紫外線検出信号を、表示装置４に出力可能な検出値（データ）に変換し紫外線情報として表示装置４に送出し、当該紫外線情報を前記音声及び映像信号と共に表示装置４に表示する。これにより、複数の紫外線センサ７の検出値の中から最大検出値を紫外線量として検出するので、検出時間による太陽の位置の影響（時間変化に伴う紫外線の入射角度の変化の影響）を受けた場合でも、最大検出値を示す紫外線量を表示することができる。ここで、テレビジョンチューナ３は、紫外線センサ７の検出値の高低により、紫外線情報を、例えば、高レベル、中レベル、低レベルの３段階にレベル分けしたレベル情報として表示装置４に表示してもよい。なお、紫外線情報は、テレビジョンチューナ３を遠隔操作するリモコン６の表示部に表示してもよい。
【００１６】
次に、テレビジョンチューナ３の変形例について説明する。変形例に係るテレビジョンチューナ３は、取付角度の異なる複数の紫外線センサ７の紫外線検出値の出力差に基づいて紫外線の相対感度差及び入射角度ずれを算出し、この入射角度により実際の紫外線検出値を、入射角０度における検出値（最大検出値）となるように補正し、補正後の検出値を紫外線情報として表示装置４に送出する。
【００１７】
次に、図５から図７を参照して、テレビジョンチューナ３における紫外線センサ７の検出値の補正方法について詳細に説明する。図５は、太陽光（紫外光）の入射角と感度の相対変化を示すグラフであり、横軸に入射角度を、縦軸に相対感度を示している。図５に示すように、入射角０度の場合が最も相対感度が高く、入射角が大きくなるにつれて相対感度が小さくなる。図６は、取付面に対して設置角度が２０度ずれた位置の２つの紫外線センサａ，ｂの検出値の出力差を示したグラフであり、横軸に設置角度を、縦軸に相対感度を示している。図６に示すように、入射角度０度に近い紫外線センサａ１及びｂ１の出力差ΔＡに比べて、入射角度０度から離れた紫外線センサａ２及びｂ２の出力差ΔＢが大きくなっている。
【００１８】
ここで、図５に示す特性を持つ紫外線センサにおいて、相対感度は下記式（１）で表わすことができる。
相対感度＝−０．０００１９６×角度の２乗−０．０００３１９×角度＋１…（１）
【００１９】
図７は、２０度の角度差で設置した場合の相対感度差を示すグラフであり、横軸に入射角度ずれを、縦軸に相対感度差を示している。図７で示すように、入射角度ずれが大きくなるにつれて、相対感度差も大きくなっている。例えば、２つの紫外線センサ７の感度差が０．４の場合には、入射角度のずれは略４０度となる。この場合、上記式（１）により紫外線センサａの出力は、入射角０度の出力を１とした場合０．６８しか出力されていないため、この比を補正係数とすることにより、紫外線センサ７の実際の検出値を最大検出値に補正することができる。すなわち、変形例に係るテレビジョンチューナ３は、アンテナ２への取付角度の異なる複数の紫外線センサ７の検出値の差分に基づく紫外線の相対感度差と、当該相対感度差に基づく紫外線の入射角度ずれとにより、前記紫外線センサ７の検出値を紫外線の入射角度が０度における検出値になるように補正する。これにより、実際には紫外線の入射角度ずれがあった場合でも、紫外線の相対感度が最も高い入射角度０度における紫外線量を検出することができる。
【００２０】
このように、本実施の形態によれば、紫外線センサを有するアンテナ２は建物の屋上やベランダの手すり部分等の当該建物により日陰とならない場所に設置されることが多いので、太陽光を直接入射させることができ、室内に居ながら高い紫外線量を検出することができる。
【００２１】
また、本発明は上記実施の形態に限定されず、種々変更して実施することが可能である。上記実施の形態にいて、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【産業上の利用可能性】
【００２２】
本発明は、紫外線量を検出する紫外線センサが取り付けられたアンテナを備えた紫外線センサに適用可能である。
【図面の簡単な説明】
【００２３】
【図１】本発明の実施の形態に係る紫外線検出システムを模式的に示した図である。
【図２】本実施の形態に係る紫外線センサがアンテナに取り付けられた状態を示す模式図である。
【図３】本実施の形態に係る紫外線センサがアンテナに取り付けられた状態のその他の例を示す模式図である。
【図４】本実施の形態に係る紫外線センサがアンテナに取り付けられた状態のその他の例を示す模式図である。
【図５】太陽光（紫外光）の入射角と感度の相対変化を示すグラフである。
【図６】取付面に対して設置角度が２０度ずれた位置の２つの紫外線センサａ，ｂの検出値の出力差を示したグラフである。
【図７】２０度の角度差で設置した場合の相対感度差を示すグラフである。
【符号の説明】
【００２４】
１  紫外線検出システム
２  アンテナ
３  テレビジョンチューナ
４  表示装置
５  同軸ケーブル（信号線）
６  リモコン
７  紫外線センサ
【図１】
2010041265.tif 000003
【図２】
2010041265.tif 000004
【図３】
2010041265.tif 000005
【図４】
2010041265.tif 000006
【図５】
2010041265.tif 000007
【図６】
2010041265.tif 000008
【図７】
2010041265.tif 000009